(57)【要約】本発明は、（ａ）スクシンイミド分散剤および／または四級アンモニウム塩分散剤を含む分散剤成分；（ｂ）キャリア流体成分；ならびに（ｃ）必要に応じた腐食防止剤を含む、潤滑および／または洗浄組成物、ならびに潤滑システム（例えば、油圧システム）における堆積物を、このような組成物を使用して洗浄する方法に関する。本明細書に記載される組成物は、濃縮物および／もしくはトップ処理としてシステムにおける油に添加され得るか、または潤滑組成物として排液されたシステムに添加され得る。【特許請求の範囲】
【請求項１】
潤滑および／または洗浄組成物であって、
（ａ）スクシンイミド分散剤および／または四級アンモニウム塩分散剤を含む分散剤成分；
（ｂ）キャリア流体成分；ならびに
（ｃ）必要に応じた腐食防止剤
を含む、組成物。
【請求項２】
前記分散剤は、ヒドロカルビル置換されたコハク酸アシル化剤とポリアルキレンポリアミンとの反応生成物である、請求項１に記載の組成物。
【請求項３】
前記ヒドロカルビル置換されたコハク酸アシル化剤は、ポリイソブチレンコハク酸無水物を含み、そして前記ポリアルキレンポリアミンは、エチレンジアミン、ジエチレントリアミン、トリエチレンテトラミン、トリス−（２−アミノエチル）アミン、プロピレンジアミン、トリメチレンジアミン、トリプロピレンテトラミン、テトラエチレンペンタミン、ヘキサエチレンヘプタミン、ペンタエチレンヘキサミン、エチレンポリアミン、アルキレンポリアミンボトム、またはこれらの組み合わせを含む、請求項２に記載の組成物。
【請求項４】
前記四級アンモニウム塩は、以下：
（ａ）（ｉ）ヒドロカルビル置換されたアシル化剤と、（ｉｉ）該アシル化剤と縮合し得、さらに三級アミノ基を有し得る、酸素原子または窒素原子を有する化合物との反応生成物；と、
（ｂ）該三級アミノ基を四級窒素に変換するために適した四級化剤であって、ここで該四級化剤は、ジアルキルスルフェート、ベンジルハライド、ヒドロカルビル置換されたカーボネート；ヒドロカルビルエポキシド；またはこれらの混合物からなる群より選択され、該四級化剤は、必要に応じて、酸と組み合わせて使用される、四級化剤、
との反応生成物を含む、請求項１に記載の組成物。
【請求項５】
成分（ｉ）である、前記ヒドロカルビル置換されたアシル化剤は、ポリイソブチレンコハク酸無水物を含み、そして成分（ｉｉ）である、該アシル化剤と縮合し得、さらに三級アミノ基を有し得る、酸素原子または窒素原子を有する化合物は、アミノプロピルモルホリン、ジメチルアミノプロピルアミン、トリス−（２−アミノエチル）アミン、またはこれらの組み合わせを含む、請求項４に記載の組成物。
【請求項６】
成分（ａ）は、０．５〜５５重量％存在し；そして成分（ｂ）は、４５〜９９．５重量％存在する、請求項１に記載の組成物。
【請求項７】
成分（ｃ）が存在し：そして成分（ａ）は、０．５〜５５重量％存在し；成分（ｂ）は、４４．０〜９９．４５重量％存在し；そして成分（ｃ）は、０．０５〜１．０重量％存在する、請求項１に記載の組成物。
【請求項８】
ヒドロカルビルリン酸または酸エステル、ヒドロカルビルチオリン酸または酸エステル、ヒドロカルビルジチオリン酸または酸エステル、これら酸および酸エステルのうちの１種以上のアミン塩、またはこれらの組み合わせからなる群より選択される無灰耐摩耗性添加剤をさらに含む、請求項１に記載の組成物。
【請求項９】
消泡剤、抗乳化剤、流動点降下剤、粘度調整剤、耐摩耗性添加剤、金属不活性化剤、および酸化防止剤からなる群より選択される１種以上のさらなる添加剤をさらに含み；ここで該さらなる添加剤は、前記組成物全体のうちの０〜１０重量％存在する、請求項１に記載の組成物。
【請求項１０】
成分（ｂ）である前記キャリア流体成分は、１種以上の鉱油、アルキル化ベンゼン、アルコール、ポリオールエステル、およびこれらの組み合わせを含み；そして成分（ｃ）である前記腐食防止剤成分は、１種以上の脂肪酸、そのエステル化誘導体、ジノニルナフタレンスルホン酸のアミン塩、およびこれらの組み合わせを含む、請求項１に記載の組成物。
【請求項１１】
前記潤滑および／または洗浄組成物は、油圧システムの潤滑および／または洗浄組成物であるか、あるいはタービンの潤滑および／または洗浄組成物である、請求項１に記載の組成物。
【請求項１２】
設備の部品の潤滑システムを洗浄する方法であって、該方法は、
（ｉ）十分量の請求項１に記載の組成物を潤滑システムに供給し、その結果、該システムは、安全に作動させられ得る工程；
（ｉｉ）該システムを作動させて、該組成物を該システム全体に循環させ、該潤滑システムから堆積物を取り出す工程；
を包含する、方法。
【請求項１３】
前記設備の部品は、低負荷設定および／または条件で作動され；そして必要に応じて、前記潤滑システムにおける任意のフィルタおよび／または堆積物収集要素は、請求項１に記載の組成物の循環の前、その間および／またはその後に清浄であるか、空にされているか、および／または置き換えられている、請求項１２に記載の方法。
【請求項１４】
（ａ）前記潤滑システムは、第１に、潤滑剤を完全に排液され、該システムの安全な作動および請求項１に記載の組成物の循環を可能にするように、十分量の該組成物に置き換えられるか；  
（ｂ）該潤滑システムは、第１に、潤滑剤を部分的に排液され、該排液された部分を、該システムの安全な作動および請求項１に記載の組成物の循環を可能にするように、十分量の該組成物に置き換えられるか；または
（ｃ）該潤滑剤は、該潤滑システムから排液されず、請求項１に記載の組成物は、該システムおける該潤滑剤に対するトップ処理として添加される、
請求項１２に記載の方法。
【請求項１５】
前記方法は、
（ｉｉｉ）前記システムを作動し、前記堆積物を除去した後に、請求項１に記載の組成物を含めて、前記潤滑システムから排液し、該システムに新たな潤滑剤を再充填する工程；および
（ｉｖ）必要に応じて、該新たな潤滑剤を循環させて、該システムを洗い流し、該潤滑システムから排液し、該システムを洗い流すために使用した該潤滑剤を再び除去し、そして該システムに新たな潤滑剤を再充填する工程
をさらに包含する、請求項１２に記載の方法。
【発明の詳細な説明】
【背景技術】
【０００１】
（発明の背景）
産業設備の潤滑システムにおける領域の中でもとりわけ、潤滑剤レザバ、可動部、濾過媒体およびデバイスは、時間を経ると、上記潤滑剤および／または上記潤滑剤中に存在する添加剤の酸化および／または熱分解に起因して、堆積物を蓄積し得る。
【０００２】
いくつかの設備およびいくつかの場合には、このような設備およびそれらの潤滑システムに関して、排液され、および／または清浄にされることなしに長期間にわたって作動させることはまれではない。これら期間は、いかなるこのようなメンテナンスなしでも５〜１０年間へとさらに延び得る。
【０００３】
これら期間を増やし得る堆積物は、しばしば、上記システからの熱移動を妨げ、上記堆積物が可動部および他のシステム機構に蓄積する場合、これらシステムムおよび構成要素の機能不全（臨界バルブおよび他の部品の付着を含む）を引き起こす。このような影響は、予定外の中断時間およびさらには問題の設備の部分への重大な損傷を生じ得る。
【０００４】
上記設備の潤滑システム、機械的および電子的構成要素、フィルタおよび濾過構成要素からこのような堆積物を効率的かつ効果的に除去することを可能にする組成物、およびこのような組成物を使用する方法が必要である。
【発明の概要】
【課題を解決するための手段】
【０００５】
（発明の要旨）
本発明は、上記設備の潤滑システムから堆積物を効率的かつ効果的に除去することを可能にする組成物、およびこのような組成物を使用する方法を提供する。本明細書に記載される組成物は、濃縮物および／もしくはトップ処理（ｔｏｐ  ｔｒｅａｔ）としてシステムにおける油に添加され得るか、または潤滑組成物として排液されたシステムに添加され得る。上記設備は、代表的には、低負荷〜負荷なしの条件下で、上記組成物を上記設備の潤滑システム全体に循環させるために作動させられ得、上記組成物が上記潤滑システム内の表面および可動部から堆積物を除去することを可能にする。いくつかの場合において、上記組成物は、次いで排液され、上記組成物とともに、上記除去された堆積物を排出し、新たな潤滑剤が上記システムに添加され、清浄にされた潤滑システムを生じる。
【０００６】
本発明は、潤滑および／または洗浄組成物を提供し、上記組成物は、（ａ）スクシンイミド分散剤および／または四級アンモニウム塩分散剤を含む、分散剤成分；（ｂ）キャリア流体成分；ならびに（ｃ）必要に応じた腐食防止剤を含む。
【０００７】
いくつかの実施形態において、上記分散剤成分は、ヒドロカルビル置換されたコハク酸アシル化剤とポリアルキレンポリアミンとの反応生成物である分散剤である。いくつかの実施形態において、上記分散剤は、ポリイソブチレンスクシンイミド分散剤である。
【０００８】
いくつかの実施形態において、上記分散剤成分は、以下：（ａ）（ｉ）ヒドロカルビル置換されたアシル化剤と（ｉｉ）上記アシル化剤と縮合し得、三級アミノ基をさらに有し得る、酸素原子または窒素原子を有する化合物との反応生成物；と、（ｂ）三級アミノ基を四級窒素に変換するために適切な四級化剤（ｑｕａｔｅｒｎｉｚｉｎｇ  ａｇｅｎｔ）であって、ここで上記四級化剤は、酸と組み合わせられた、ジアルキルスルフェート、ベンジルハライド、ヒドロカルビル置換されたカーボネート；もしくはヒドロカルビルエポキシド、またはこれらの混合物からなる群より選択される四級化剤、との反応生成物を含む四級アンモニウム塩である。いくつかの実施形態において、上記四級アンモニウム塩は、ポリイソブチレンスクシンイミド四級アンモニウム塩分散剤である。
【０００９】
いくつかの実施形態において、これら組成物は、無灰耐摩耗性添加剤（例えば、ヒドロカルビルリン酸もしくは酸エステル、ヒドロカルビルチオリン酸もしくは酸エステル、ヒドロカルビルジチオリン酸もしくは酸エステル、これら酸もしくは酸エステルのうちの１種以上のアミン塩、またはこれらの組み合わせをさらに含む。
【００１０】
本発明はまた、このような組成物を、設備の部品の潤滑システムを洗浄するために使用する方法を提供する。これら方法は、（ｉ）十分量の請求項１に記載の組成物を潤滑システムに供給し、その結果、上記システムは、安全に作動させられ得る工程；（ｉｉ）上記システムを作動させて、上記組成物を上記システム全体に循環させる工程；上記潤滑システムから堆積物の除去を生じる工程を包含する。
【００１１】
いくつかの実施形態において、上記設備の部品は、低負荷設定および／または条件で作動される。いくつかの実施形態において、上記方法は、（ｉｉｉ）上記システムを作動させ、上記堆積物を除去した後、請求項１に記載の組成物を含む、上記潤滑システムを排液し、上記システムに新たな潤滑剤を再充填する工程をさらに包含する。
【発明を実施するための形態】
【００１２】
（発明の詳細な説明）
本発明の種々の特徴および実施形態は、非限定的例示によって以下に記載される。
【００１３】
本発明は、設備の潤滑システムから堆積物を効率的にかつ効果的に除去することを可能にする組成物、およびこのような組成物を使用する方法を提供する。本明細書に記載される組成物は、システムにおける油に濃縮物および／もしくはトップ処理として添加され得るか、または排液されたシステムに潤滑組成物として添加され得る。上記設備は、上記組成物を上記設備の潤滑システム全体に、代表的には、低負荷〜負荷なしの条件下で循環させるために作動され得、上記組成物が上記潤滑システム内の表面および可動部から堆積物を除去することを可能にし得る。いくつかの場合において、上記組成物は次いで排液され、上記組成物とともに除去された堆積物を排液し、新たな潤滑剤が上記システムに添加され、清浄にされた潤滑システムを生じる。
【００１４】
本発明の組成物および方法とともに使用するのに適した設備としては、作動液を使用して、力を伝達するまたは伝える（ｃｏｎｖｅｙ  ｏｒ  ｔｒａｎｓｆｅｒ）設備、ならびに流体を使用して、ベアリングおよび他の回転構成要素を潤滑するタービンシステムが挙げられるが、これらに限定されない。具体例としては、プラスチック射出成形機械、液圧プレス、スチームまたはガス出力タービン（ｓｔｅａｍ  ｏｒ  ｇａｓ  ｐｏｗｅｒｅｄ  ｔｕｒｂｉｎｅ）などにおける油圧システムが挙げられる。
【００１５】
本発明の組成物は、（ａ）スクシンイミド分散剤および／または四級アンモニウム塩分散剤を含む、分散剤成分；（ｂ）キャリア流体成分；ならびに（ｃ）必要に応じた腐食防止剤が挙げられる。
【００１６】
（分散剤成分）
本発明の組成物は、スクシンイミド分散剤および／または四級アンモニウム塩分散剤を含む分散剤成分を含む。
【００１７】
（（ｉ）スクシンイミド分散剤）
いくつかの実施形態において、上記分散剤成分は、ヒドロカルビル置換されたアシル化剤とポリアルキレンポリアミンとの反応生成物である分散剤を含む。多くのヒドロカルビル置換されたアシル化剤は、本発明において有用であり、長鎖炭化水素（一般には、ポリオレフィン）と、モノ不飽和カルボン酸またはその誘導体との反応生成物を含む。いくつかの実施形態において、本発明の分散剤成分は、ヒドロカルビル置換されたコハク酸アシル化剤に由来する分散剤およびポリアルキレンポリアミンを含む。さらなる分散剤もまた、存在し得る。
【００１８】
上記ヒドロカルビル置換されたアシル化剤を調製するために適したモノ不飽和カルボン酸またはその誘導体としては、（ｉ）α，β−モノ不飽和Ｃ４〜Ｃ１０ジカルボン酸（例えば、フマル酸、イタコン酸、およびマレイン酸）；（ｉｉ）（ｉ）の誘導体（例えば、（ｉ）の無水物または（ｉ）のＣ１〜Ｃ５アルコール誘導体由来のモノエステルもしくはジエステル）；（ｉｉｉ）α，β−モノ不飽和Ｃ３〜Ｃ１０モノカルボン酸（例えば、アクリル酸およびメタクリル酸）；あるいは（ｉｖ）（ｉｉｉ）の誘導体（例えば、（ｉｉｉ）のＣ１〜Ｃ５アルコール由来のエステル）が挙げられる。
【００１９】
上記ヒドロカルビル置換されたアシル化剤を調製するのに使用するために適した長鎖炭化水素としては、ここで示される一般式Ｉ：
（Ｒ１）（Ｒ２）Ｃ＝Ｃ（Ｒ３）（ＣＨ（Ｒ４）（Ｒ５））        （Ｉ）
によって表されるオレフィン結合を含む任意の化合物が挙げられ、ここで
Ｒ１、Ｒ２、Ｒ３、Ｒ４およびＲ５の各々は、独立して、水素または炭化水素ベースの基である。いくつかの実施形態において、Ｒ３、Ｒ４またはＲ５のうちの少なくとも１個は、少なくとも２０個の炭素原子を含む炭化水素ベースの基である。
【００２０】
これら長鎖炭化水素（これは、ポリオレフィンまたはオレフィンポリマーとも記載され得る）は、モノ不飽和カルボン酸および上記の誘導体と反応させられて、本発明の窒素含有洗浄剤を調製するために使用される上記ヒドロカルビル置換されたアシル化剤を形成する。適切なオレフィンポリマーとしては、主要なモル量のＣ２〜Ｃ２０モノオレフィン、またはＣ２〜Ｃ５モノオレフィンを含むポリマーが挙げられる。他の実施形態において、上記オレフィンポリマーは、少量のこれらオレフィンを含む。このようなオレフィンとしては、エチレン、プロピレン、プロピレン、ブチレン、イソブチレン、ペンテン、オクテン−１、またはスチレンが挙げられる。上記ポリマーは、ホモポリマー（例えば、ポリイソブチレン）、ならびにこのようなオレフィンのうちの２種以上のコポリマーであり得る。適切なコポリマーとしては、例えば、エチレンとプロピレンとのコポリマー、ブチレンとイソブチレンとのコポリマー、およびプロピレンとイソブチレンとのコポリマーが挙げられる。他の適切なコポリマーとしては、少ないモル量の上記コポリマーモノマー（例えば、１〜１０モル％）がＣ４〜Ｃ１８ジ−オレフィンであるものが挙げられる。このようなコポリマーとしては、例えば、イソブチレンとブタジエンとのコポリマー；およびエチレンと、プロピレンと、１，４−ヘキサジエンとのコポリマーが挙げられる。
【００２１】
一実施形態において、上記に示される式（Ｉ）の−Ｒ基のうちの少なくとも１個は、ポリブテン、すなわち、Ｃ４オレフィン（１−ブテン、２−ブテンおよびイソブチレンを含む）のポリマーに由来する。Ｃ４ポリマーとしては、ポリイソブチレンが挙げられる。別の実施形態において、式Ｉの−Ｒ基のうちの少なくとも１個は、エチレン−α−オレフィンポリマー（エチレン−プロピレン−ジエンポリマーを含む）に由来する。エチレン−α−オレフィンコポリマーおよびエチレン−低級オレフィン−ジエンターポリマーを記載した文書の例としては、米国特許第３，５９８，７３８号；同第４，０２６，８０９号；同第４，０３２，７００号；同第４，１３７，１８５号；同第４，１５６，０６１号；同第４，３２０，０１９号；同第４，３５７，２５０号；同第４，６５８，０７８号；同第４，６６８，８３４号；同第４，９３７，２９９号；および同第５，３２４，８００号が挙げられる。
【００２２】
別の実施形態において、式（Ｉ）のオレフィン結合は、以下の式：
【００２３】
【化１】
2013510906.tif 000002
によって表される、主にビニリデン基であり、
ここで各Ｒは、ヒドロカルビル基であり；上記式（Ｉ）のオレフィン結合は、いくつかの実施形態において、以下：
【００２４】
【化２】
2013510906.tif 000003
であり得、
ここで各Ｒは、独立して、ヒドロカルビル基である。
【００２５】
一実施形態において、上記式（Ｉ）のビニリデン含有量は、少なくとも３０モル％のビニリデン基、少なくとも５０モル％のビニリデン基、または少なくとも７０モル％のビニリデン基を含み得る。このような材料および調製法は、米国特許第５，０７１，９１９号；同第５，１３７，９７８号；同第５，１３７，９８０号；同第５，２８６，８２３号、同第５，４０８，０１８号、同第６，５６２，９１３号、同第６，６８３，１３８号、同第７，０３７，９９９号；ならびに米国特許出願公開第２００４／０１７６５５２Ａ１号；同第２００５／０１３７３６３号；および同第２００６／００７９６５２Ａ１号に記載される。このような生成物は、ＢＡＳＦから商品名ＧＬＩＳＳＯＰＡＬＴＭの下で、ならびにＴｅｘａｓ  ＰｅｔｒｏＣｈｅｍｉｃａｌ  ＬＰから商品名ＴＰＣ  １１０５ＴＭおよびＴＰＣ  ５９５ＴＭの下で市販されている。
【００２６】
モノ不飽和カルボン酸反応物と式（Ｉ）の化合物との反応からヒドロカルビル置換されたアシル化剤を作製する方法は、当該分野で周知であり、米国特許第３，３６１，６７３号；同第３，４０１，１１８号；同第３，０８７，４３６号；同第３，１７２，８９２号；同第３，２７２，７４６号；同第３，２１５，７０７号；同第３，２３１，５８７号；同第３，９１２，７６４号；同第４，１１０，３４９号；同第４，２３４，４３５号；同第６，０７７，９０９号；および同第６，１６５，２３５号に開示されている。
【００２７】
別の実施形態において、上記ヒドロカルビル置換されたアシル化剤は、式（Ｉ）によって表される化合物と、以下の式：
【００２８】
【化３】
2013510906.tif 000004
によって表される少なくとも１個のカルボン酸反応物との反応から作製され得、ここでＲ６、Ｒ８およびＲ９の各々は、独立して、Ｈまたはヒドロカルビル基であり、Ｒ７は、二価のヒドロカルビレン基であり、ｎは、０または１である。このような化合物およびこれらを作製するためのプロセスは、米国特許第５，７３９，３５６号；同第５，７７７，１４２号；同第５，７８６，４９０号；同第５，８５６，５２４号；同第６，０２０，５００号；および同第６，１１４，５４７号に開示されている。
【００２９】
さらに別の実施形態において、上記ヒドロカルビル置換されたアシル化剤は、式（Ｉ）によって表される任意の化合物と、式（ＩＶ）または式（Ｖ）によって表される任意の化合物との反応から作製され得、ここで上記反応は、少なくとも１種のアルデヒドまたはケトンの存在下で行われる。適切なアルデヒドとしては、ホルムアルデヒド、アセトアルデヒド、プロピオンアルデヒド、ブチルアルデヒド、イソブチルアルデヒド、ペンタナール、ヘキサナール、ヘプタアルデヒド、オクタナール、ベンズアルデヒド、ならびに高級アルデヒドが挙げられる。他のアルデヒド（例えば、ジアルデヒド）、特に、グリオキサールは、有用であるが、モノアルデヒドが一般には好ましい。一実施形態において、上記アルデヒドは、ホルムアルデヒドであり、これは、しばしばホルマリンといわれる水溶液において供給され得るが、パラホルムアルデヒドといわれるポリマー形態においてより頻繁に使用される。パラホルムアルデヒドは、ホルムアルデヒドの反応性等価物および／またはパラホルムアルデヒドの供給源と考えられる。他の反応性等価物としては、水和物または環式トリマーが挙げられる。適切なケトンとしては、アセトン、ブタノン、メチルエチルケトン、ならびに他のケトンが挙げられる。いくつかの実施形態において、上記ケトンの２個のヒドロカルビル基のうちの１個は、メチル基である。２種以上のアルデヒドおよび／またはケトンの混合物もまた、有用である。このようなヒドロカルビル置換されたアシル化剤およびこれらを作製するためのプロセスは、米国特許第５，８４０，９２０号；同第６，１４７，０３６号；および同第６，２０７，８３９号に開示されている。
【００３０】
別の実施形態において、上記ヒドロカルビル置換されたアシル化剤は、メチレンビス−フェノールアルカン酸化合物を含み得る。このような化合物は、（ｉ）以下の式の芳香族化合物：
Ｒｍ−Ａｒ−Ｚｃ                （ＶＩ）
と（ｉｉ）少なくとも１種のカルボン酸反応物（例えば、上記式（ＩＶ）および式（Ｖ）の化合物）との縮合生成物であり得、ここで式（ＶＩ）において：各Ｒは、独立して、ヒドロカルビル基であり；ｍは、０または１〜最大６までの整数であるが、ただしｍは、置換に利用可能な対応するＡｒ基の価数を超えず；Ａｒは、５〜３０個の炭素原子および０〜３個の必要に応じた置換基（例えば、アミノ、ヒドロキシ−ポリオキシアルキル、アルキル−ポリオキシアルキル、ニトロ、アミノアルキル、およびカルボキシ基）、または上記必要に応じた置換基のうちの２個以上の組み合わせを含む芳香族基もしくは部分であり；Ｚは、独立して、−ＯＨ、−Ｏ、低級アルコキシ基、または−（ＯＲ１０）ｂＯＲ１１であり、ここで各Ｒ１０は、独立して、二価のヒドロカルビル基であり、ｂは、１〜３０までの数字であり、Ｒ１１は、−Ｈまたはヒドロカルビル基であり；ｃは、１〜３の範囲の数字である。上記のように、ｍは、ゼロであり得る。その場合、上記Ａｒ基は、Ｚｃ以外のいかなる置換基をも含まない。いくつかの実施形態において、上記式（ＶＩ）中のＲは、代わりに、各々が独立して、水素またはヒドロカルビル基であると定義され得る。ここでｍは、１から最大６までの整数であるが、ただしｍは、置換に利用可能なその対応するＡｒ基の価数を超えない。
【００３１】
一実施形態において、上記芳香族部分の少なくとも１個のヒドロカルビル基は、ポリブテンに由来する。一実施形態において、上記ヒドロカルビル基の供給源は、ルイス酸触媒（例えば、三塩化アルミニウムまたは三フッ化ホウ素）の存在下でのイソブチレンの重合により得られるポリブテンである。
【００３２】
このような化合物およびこれらを作製するためのプロセスは、米国特許第３，９５４，８０８号；同第５，３３６，２７８号；同第５，４５８，７９３号；同第５，６２０，９４９号；同第５，８２７，８０５号；および同第６，００１，７８１号に開示されている。
【００３３】
別の実施形態において、必要に応じて、酸性触媒（例えば、有機スルホン酸、ヘテロポリ酸、および鉱酸）の存在下での（ｉ）と（ｉｉ）との反応は、少なくとも１種のアルデヒドまたはケトンの存在下で行われ得る。この実施形態において使用される上記アルデヒドまたはケトン反応物は、上記のものと同じである。このような化合物およびこれらを作製するためのプロセスは、米国特許第５，６２０，９４９号において開示されている。
【００３４】
適切なヒドロカルビル置換されたアシル化剤を作製するためのさらに他の方法は、米国特許第５，９１２，２１３号；同第５，８５１，９６６号；および同第５，８８５，９４４号において見いだされ得る。
【００３５】
上記窒素含有分散剤を調製するのに使用するための適切なポリアルキレンポリアミンは、オレフィンモノマーおよびアミン（例えば、アンモニア、モノアミン、ポリアミンまたはこれらの混合物）から得られ得る。それらは、種々の方法によって調製され得る。本発明のポリアルキレンポリアミンは、本明細書中上記で開示されるそれらの調製方法には範囲が特に限定されない。
【００３６】
上記ポリアルキレンポリアミンは、オレフィンポリマーから得られ得る。本発明のポリアルキレンポリアミンを調製するための適切なオレフィンポリマーは、上記ヒドロカルビルアシル化剤に関して上記に記載されるものと同じである。
【００３７】
上記ポリアルキレンポリアミンは、アンモニア、モノアミン、ポリアミン、またはこれらの混合物（異なるモノアミンの混合物、異なるポリアミンの混合物、およびモノアミンとポリアミン（ジアミンを含む）の混合物が挙げられる）から得られ得る。適切なアミンとしては、脂肪族アミン、芳香族アミン、複素環式アミンおよび炭素環式アミンが挙げられる。
【００３８】
一実施形態において、上記アミンは、式：
Ｒ１２Ｒ１３ＮＨ            （ＩＸ）
によって特徴付けられ得、ここでＲ１２およびＲ１３は、各々独立して、水素、炭化水素、アミノ置換された炭化水素、ヒドロキシ置換された炭化水素、アルコキシ置換された炭化水素、またはアシルイミドイル（ａｃｙｌｉｍｉｄｏｙｌ）基であるが、ただし、Ｒ１２およびＲ１３のうちのわずか１個が、水素である。上記アミンは、少なくとも１個の一級アミノ基（Ｈ２Ｎ−）または二級アミノ基（Ｈ−Ｎ＜）の存在によって特徴付けられ得る。それらが調製するために使用されるこれらアミン、またはそのポリアルケン置換されたアミンは、これらが少なくとも１個の三級アミノ基を含むことを確実にするために必要とされる場合にアルキル化され得る。適切なモノアミンの例としては、エチルアミン、ジメチルアミン、ジエチルアミン、ｎ−ブチルアミン、ジブチルアミン、アリルアミン、イソブチルアミン、ココアミン、ステアリルアミン、ラウリルアミン、メチルラウリルアミン、オレイルアミン、Ｎ−メチル−オクチルアミン、ドデシルアミン、ジエタノールアミン、モルホリン、およびオクタデシルアミンが挙げられる。
【００３９】
上記分散剤が由来するポリアルキレンポリアミンは、主に、大部分については、以下の式に適合するアルキレンアミンを含む：
【００４０】
【化４】
2013510906.tif 000005
ここでｎは、代表的には１０未満の整数であり、各Ｒ１４は、独立して、水素、または最大３０個までの炭素原子を代表的には有するヒドロカルビル基であり、上記アルキレン基は、代表的には、８個未満の炭素原子を有するアルキレン基である。上記アルキレンアミンとしては、主に、エチレンアミン、ヘキシレンアミン、ヘプチレンアミン、オクチレンアミン、他のポリメチレンアミンが挙げられる。それらは、エチレンジアミン、ジエチレントリアミン、トリエチレンテトラミン、プロピレンジアミン、デカメチレンジアミン、オクタメチレンジアミン、ジ（ヘプタメチレン）トリアミン、トリプロピレンテトラミン、テトラエチレンペンタミン、トリメチレンジアミン、ペンタエチレンヘキサミン、ジ（−トリメチレン）トリアミン、アミノプロピルモルホリンおよびジメチルアミノプロピルアミンによって具体的に例示される。上記に例示されるアルキレンアミンのうちの２個以上を縮合することによって得られるような高級ホモログは、同様に有用である。テトラエチレンペンタミンは、特に有用である。
【００４１】
上記エチレンアミン（ポリエチレンポリアミンともいわれる）は、特に有用である。それらは、Ｅｎｃｙｃｌｏｐｅｄｉａ  ｏｆ  Ｃｈｅｍｉｃａｌ  Ｔｅｃｈｎｏｌｏｇｙ，Ｋｉｒｋ  ａｎｄ  Ｏｔｈｍｅｒ，Ｖｏｌ．５，ｐｐ．８９８−９０５（Ｉｎｔｅｒｓｃｉｅｎｃｅ  Ｐｕｂｌｉｓｈｅｒｓ，Ｎｅｗ  Ｙｏｒｋ  （１９５０））中の標題「Ｅｔｈｙｌｅｎｅ  Ａｍｉｎｅ」の下でいくらか詳細に記載される。
【００４２】
いくつかの実施形態において、上記ヒドロカルビル置換されたアシル化剤は、ポリイソブチレンコハク酸無水物であり得、上記ポリアルキレンポリアミンは、エチレンジアミン、ジエチレントリアミン、トリエチレンテトラミン、トリス−（２−アミノエチル）アミン、プロピレンジアミン、トリメチレンジアミン、トリプロピレンテトラミン、テトラエチレンペンタミン、ヘキサエチレンヘプタミン、ペンタエチレンヘキサミン、エチレンポリアミン、アルキレンポリアミンボトム、およびこれらの組み合わせを含む。これら実施形態のうちのいずれかにおいて、上記ポリイソブチレンコハク酸無水物は、平均数分子量（Ｍｎ）約５００、７００または８００〜５０００、３０００、１５００、または１２００を有するポリイソブチレンから得られ得る。
【００４３】
（ｉｉ）四級アンモニウム塩分散剤
いくつかの実施形態において、上記分散剤成分は、四級アンモニウム塩である。四級アンモニウム塩の例およびこれを調製する方法は、米国特許第４，２５３，９８０号；同第３，７７８，３７１号；同第４，１７１，９５９号；同第４，３２６，９７３号；同第４，３３８，２０６号；および同第５，２５４，１３８号に記載されている。
【００４４】
いくつかの実施形態において、本発明の四級アンモニウム塩は、（ａ）（ｉ）ヒドロカルビル置換されたアシル化剤と（ｉｉ）上記アシル化剤と縮合し得、さらに三級アミノ基を有し得る、酸素原子または窒素原子を有する化合物との反応生成物；と（ｂ）上記三級アミノ基を四級窒素に変換するために適した四級化剤であって、ここで上記四級化剤は、酸と組み合わせられた、ジアルキルスルフェート、ベンジルハライド、ヒドロカルビル置換されたカーボネート、もしくはヒドロカルビルエポキシド、またはこれらの混合物からなる群より選択される四級化剤との反応生成物である。いくつかの実施形態において、上記四級アンモニウム塩は、ポリイソブチレンスクシンイミド四級アンモニウム塩分散剤である。
【００４５】
上記四級アンモニウム塩分散剤はまた、四級アミドおよび／またはエステル分散剤であり得、これらは、（ａ）三級アミン官能基を有する非四級化アミドおよび／またはエステル分散剤；および（ｂ）四級化剤の反応生成物として記載され得る。いくつかの実施形態において、上記非四級化洗浄剤は、それ自体、（ｉ）ヒドロカルビル置換されたアシル化剤と（ｉｉ）上記アシル化剤と縮合し得、さらに少なくとも１個の三級アミノ基を有し得る、酸素原子または窒素原子を有する化合物との縮合生成物である。
【００４６】
本発明の四級アンモニウム塩分散剤を調製するために適したヒドロカルビル置換されたアシル化剤としては、上記に記載されるもののうちのいずれかが挙げられる。いくつかの実施形態において、上記ヒドロカルビル置換されたアシル化剤は、ポリイソブチレンコハク酸無水物である。
【００４７】
上記アシル化剤と縮合し得、さらに三級アミノ基を有し得る、酸素原子または窒素原子を有する化合物は、四級化剤とともに、上記ヒドロカルビル置換されたアシル化剤と反応させられて、上記四級アンモニウム塩分散剤を生成する。適切な縮合化合物としては、三級アミノ基を含む上記ポリアルキレンポリアミンのうちのいずれかが挙げられる。適切な縮合化合物はまた、アルキル化され得る上記のアミンのうちのいずれを含み、その結果、それらは、三級アミノ基を含む。すなわち、適切なポリアルキレンポリアミンまたはそれらが由来するアミンは、三級アミノ基を含んでいてもよいか、上記ポリアルキレンポリアミンが、上記ヒドロカルビル置換されたアシル化剤および上記四級化剤と反応させられる場合に、少なくとも１個の三級アミノ基を有する限りにおいてそれらが三級アミノ基を含むまでアルキル化されてもよいかのいずれかである。
【００４８】
一実施形態において、上記縮合化合物は、以下の式のうちの１つ：
【００４９】
【化５】
2013510906.tif 000006
および
【００５０】
【化６】
2013510906.tif 000007
によって表され得、
ここで式（ＶＩＩ）および式（ＶＩＩＩ）の両方に関して、各Ｘは、独立して、１〜４個の炭素原子を含むアルキレン基であり；各Ｒは、独立して、ヒドロカルビル基である。
【００５１】
適切な化合物としては、１−アミノピペリジン、１−（２−アミノエチル）ピペリジン、１−（３−アミノプロピル）−２−ピペコリン、１−メチル−（４−メチルアミノ）ピペリジン、１−アミノ−２，６−ジメチルピペリジン、４−（１−ピロリジニル）ピペリジン、１−（２−アミノエチル）ピロリジン、２−（２−アミノエチル）−１−メチルピロリジン、Ｎ，Ｎ−ジエチルエチレンジアミン、Ｎ，Ｎ−ジメチルエチレンジアミン、Ｎ，Ｎ−ジブチルエチレンジアミン、Ｎ，Ｎ，Ｎ’−トリメチルエチレンジアミン、Ｎ，Ｎ−ジメチル−Ｎ’−エチルエチレンジアミン、Ｎ，Ｎ−ジエチル−Ｎ’−メチルエチレンジアミン、Ｎ，Ｎ，Ｎ’−トリエチルエチレンジアミン、３−ジメチルアミノプロピルアミン、３−ジエチルアミノプロピルアミン、３−ジブチルアミノプロピルアミン、Ｎ，Ｎ，Ｎ’−トリメチル−１，３−プロパンジアミン、Ｎ，Ｎ，２，２−テトラメチル−１，３−プロパンジアミン、２−アミノ−５−ジエチルアミノペンタン、Ｎ，Ｎ，Ｎ’，Ｎ’−テトラエチルジエチレントリアミン、３，３’−ジアミノ−Ｎ−メチルジプロピルアミン、３，３’−イミノビス（Ｎ，Ｎ−ジメチルプロピルアミン）、またはこれらの組み合わせが挙げられるが、これらに限定されない。いくつかの実施形態において、上記使用されるアミンは、３−ジメチルアミノプロピルアミン、３−ジエチルアミノプロピルアミン、１−（２−アミノエチル）ピロリジン、Ｎ，Ｎ−ジメチルエチレンジアミン、またはこれらの組み合わせである。
【００５２】
適切な化合物としては、アミノアルキル置換された複素環式化合物（例えば、１−（３−アミノプロピル）イミダゾール、４−（３−アミノプロピル）モルホリン、および１−（２−アミノエチル）ピペリジンがさらに挙げられる。３，３−ジアミノ−Ｎ−メチルジプロピルアミン、３，３−アミノビス（Ｎ，Ｎ−ジメチルプロピルアミン）のようなアミンもまた、適切である。
【００５３】
上記アシル化剤と縮合し得、三級アミノ基もまた有する、なおさらなる窒素または酸素を含有する化合物としては、アルカノールアミン（トリエタノールアミン，Ｎ，Ｎ−ジメチルアミノプロパノール、Ｎ，Ｎ−ジエチルアミノプロパノール、Ｎ，Ｎ−ジエチルアミノブタノール、Ｎ，Ｎ，Ｎ−トリス（ヒドロキシエチル）アミン、およびＮ，Ｎ，Ｎ−トリス（ヒドロキシメチル）アミンが挙げられるが、これらに限定されない）が挙げられる。
【００５４】
上記の四級アンモニウム塩洗浄剤のうちのいずれかを調製するために適切な四級化剤としては、ジアルキルスルフェート、ベンジルハライド、ヒドロカルビル置換されたカーボネート、ヒドロカルビルエポキシドが挙げられ、これらのうちのいずれかは、酸と組み合わせて、またはこれらの混合物で使用され得る。
【００５５】
一実施形態において、上記四級化塩は、以下のアニオンのうちの１種以上を含む：ハライド（例えば、クロリド、ヨージドまたはブロミド）；ヒドロキシド；スルホネート；アルキルスルフェート；ホスフェート；Ｃ１−１２アルキルホスフェート；ジ−Ｃ１−１２アルキルホスフェート；ボレート；Ｃ１−１２アルキルボレート；亜硝酸イオン（ｎｉｔｒｉｔｅ）；ニトレート；カーボネート；重炭酸イオン；アルカノエート；Ｏ，Ｏ−ジ−Ｃ１−１２アルキルジチオホスフェート；またはこれらの混合物。
【００５６】
一実施形態において、上記四級化剤は、ジアルキルスルフェート（例えば、ジメチルスルフェート）；Ｎ−オキシド；スルトン（例えば、プロパンスルトンおよびブタンスルトン）；アルキルハライド、アシルハライドまたはアラルキルハライド（例えば、メチルクロリド、メチルブロミド、もしくはメチルヨージドおよびエチルクロリド、エチルブロミド、もしくはエチルヨージドまたはベンジルクロリド）；ヒドロカルビル（またはアルキル）置換されたカーボネート；あるいはこれらの組み合わせであり得る。上記アラルキルハライドがベンジルクロリドである場合、上記芳香族環は、必要に応じて、アルキルまたはアルケニル基でさらに置換される。
【００５７】
上記ヒドロカルビル置換されたカーボネートの上記ヒドロカルビル（またはアルキル）基は、１つの基あたり１〜５０個、１〜２０個、１〜１０個または１〜５個の炭素原子を含み得る。一実施形態において、上記ヒドロカルビル置換されたカーボネートは、２個のヒドロカルビル基（これらは、同じであっても異なっていてもよい）を含む。適切なヒドロカルビル置換されたカーボネートの例としては、ジメチルカーボネートまたはジエチルカーボネートが挙げられる。
【００５８】
別の実施形態において、上記四級化剤は、以下の式：
【００５９】
【化７】
2013510906.tif 000008
によって表されるように、ヒドロカルビルエポキシドであり得、ここでＲ１５、Ｒ１６、Ｒ１７およびＲ１８は、独立して、ＨまたはＣ１−５０ヒドロカルビル基であり得る。適切なヒドロカルビルエポキシドの例としては、以下が挙げられる：スチレンオキシド、エチレンオキシド、プロピレンオキシド、ブチレンオキシド、スチルベンオキシド、Ｃ２−５０エポキシド、またはこれらの組み合わせ。
【００６０】
上記四級化剤（上記ヒドロカルビルエポキシドが挙げられる）のうちのいずれかは、酸と組み合わせて使用され得る。いくつかの実施形態において、上記四級化剤としては、酸と組み合わせられた上記のヒドロカルビルエポキシドのうちのいずれか１種以上が挙げられる。適切な酸としては、カルボン酸（例えば、酢酸、プロピオン酸、および酪酸など）が挙げられる。
【００６１】
本発明のスクシンイミド四級アンモニウム塩洗浄剤は、上記の反応生成物（ヒドロカルビル置換されたアシル化剤と、上記アシル化剤と縮合し得、さらに少なくとも１個の三級アミノ基を有し得る、酸素原子または窒素原子を有する化合物との反応生成物）と、上記三級アミノ基を四級窒素に変換するのに適した四級化剤とを合わせることによって形成される。適切な四級化剤は、以下でより詳細に議論される。いくつかの実施形態において、これら調製物は、希釈せずに（ｎｅａｔ）、または溶媒の存在下で行われ得る。
【００６２】
上記四級アンモニウム塩は、溶媒の存在下で調製され得、上記溶媒は、上記反応がいったん完了したら除去されてもよいし、そうでなくてもよい。適切な溶媒としては、希釈油、石油ナフサ、および特定のアルコールが挙げられるが、これらに限定されない。一実施形態において、これらアルコールは、少なくとも２個の炭素原子、および他の実施形態において、少なくとも４個、少なくとも６個または少なくとも８個の炭素原子を含む。別の実施形態において、本発明の溶媒は、２〜２０個の炭素原子、４〜１６個の炭素原子、６〜１２個の炭素原子、８〜１０個の炭素原子、またはちょうど８個の炭素原子を含む。これらアルコールは、通常、２−（Ｃ１−４アルキル）置換基（すなわち、メチル、エチル、またはプロピルもしくはブチルの任意の異性体）を有する。適切なアルコールの例としては、２−メチルヘプタノール、２−メチルデカノール、２−エチルペンタノール、２−エチルヘキサノール、２−エチルノナノール、２−プロピルヘプタノール、２−ブチルヘプタノール、２−ブチルオクタノール、イソオクタノール、ドデカノール、シクロヘキサノール、メタノール、エタノール、プロパン−１−オール、２−メチルプロパン−２−オール、２−メチルプロパン−１−オール、ブタン−１−オール、ブタン−２−オール、ペンタノールおよびその異性体、ならびにこれらの混合物が挙げられる。一実施形態において、本発明の溶媒は、２−エチルヘキサノール、２−エチルノナノール、２−メチルヘプタノール、またはこれらの組み合わせである。一実施形態において、本発明の溶媒は、２−エチルヘキサノールを含む。
【００６３】
いくつかの実施形態において、上記四級アンモニウム塩分散剤は、ポリイソブチレンコハク酸無水物ならびに三級アミノ基および四級化剤を含むポリアルケンポリアミンに由来し、ここで上記ポリアルケンポリアミンは、アミノプロピルモルホリン、ジメチルアミノプロピルアミン、トリス−（２−アミノエチル）アミン、またはこれらの組み合わせを含む。いくつかの実施形態において、上記四級化剤は、ヒドロカルビルエポキシド（例えば、プロピレンオキシドまたはスチレンオキシド）であり、それは、酸と組み合わせて使用される。
【００６４】
いくつかの実施形態において、本発明の分散剤成分は、上記四級アンモニウム塩分散剤のうちの１種以上であり、いかなる上記の非四級塩窒素含有分散剤および／またはスクシンイミド分散剤をも実質的に含まない（５重量％未満、２重量％未満、１重量％またはさらに０．１重量％未満を含む）。これら実施形態のうちのいずれかにおいて、上記四級アンモニウム塩分散剤は、約５００、７００または８００〜５０００、３０００、１５００、または１２００の数平均分子量（Ｍｎ）を有するポリイソブチレンに由来し得る。
【００６５】
他の実施形態において、本発明の分散剤成分はまた、上記のスクシンイミド分散剤および四級アンモニウム塩分散剤と組み合わせて、またはさらにこれらの代わりに、エステル分散剤を含み得る。
【００６６】
上記エステル分散剤は、上記のヒドロカルビル置換されたアシル化剤（ここで上記剤は、少なくとも１個のカルボン酸基を含む）のうちの少なくとも１種以上と、少なくとも１種の有機ヒドロキシ化合物と、必要に応じて、アミンとを反応させることによって調製される、カルボン酸エステルであり得る。上記ヒドロキシ化合物は、アルコールまたはヒドロキシ含有アミンであり得る。別の実施形態において、上記カルボン酸エステル分散剤は、上記アシル化剤と少なくとも１種のヒドロキシアミンとを反応させることによって調製される。好ましいアルコールは、多価アルコール（例えば、ペンタエリスリトール）である。上記多価アルコールは、２個または８〜３０個または１８個の炭素原子を有するモノカルボン酸でエステル化され得るが、ただし、少なくとも１個のヒドロキシル基は、エステル化されないままである。モノカルボン酸の例としては、酢酸、プロピオン酸、酪酸および上記の脂肪酸が挙げられる。これらエステル化される多価アルコールの具体例としては、ソルビトールオレエート（モノオレエートおよびジオレエートが挙げられる）、ソルビトールステアレート（モノステアレートおよびジステアレートが挙げられる）、グリセロールオレエート（グリセロールモノオレエート、グリセロールジオレエート、グリセロールトリオレエートが挙げられる）、ならびにエリスリトールオクタノエートが挙げられる。
【００６７】
上記カルボン酸エステル分散剤は、上記のアミンのうちの少なくとも１種と、いくつかの実施形態において、上記のポリアミン（例えば、ポリエチレンポリアミン、縮合ポリアミン）、または複素環式アミン（例えば、アミノプロピルモルホリン）のうちの少なくとも１種とさらに反応させられ得る。
【００６８】
（キャリア流体）
本発明の組成物はまた、キャリア流体成分を含む。適切なキャリア流体は、過度には限定されず、１種以上の鉱油、アルキル化ベンゼン、アルコール、ポリオールエステル、およびこれらの組み合わせを含む。
【００６９】
いくつかの実施形態において、上記キャリア流体は、鉱油（重質ナフサ蒸留物および石油中間蒸留物（ｐｅｔｒｏｌｅｕｍ  ｍｉｄｄｌｅ  ｄｉｓｔｉｌｌａｔｅ）が挙げられる）を含む。
【００７０】
いくつかの実施形態において、上記キャリア流体は、ポリオールエステルおよび／またはポリエステル油（例えば、トリアルキルオールアルカントリカルボキシレート（例えば、トリメチロールプロパントリオレエート（ＥＭＥＲＹＴＭ  ２９６４として市販）、トリメチロールプロパントリイソステアレート（ＥＭＥＲＹＴＭ  ２９５１として市販）、トリメチロールプロパントリペラルゴネート（ＥＭＥＲＹＴＭ  ２９３４として市販）およびこれらの組み合わせを含む。適切なポリオールエステルおよび／またはポリエステル油としてはまた、ペンタエリスリトールベースのポリオールエステル（ペンタエリスリトールテトラオレエート（ＥＭＥＲＹＴＭ  ２９８９として市販）が挙げられる）および他のペンタエリスリトールベースの油（ＨＡＴＣＯＬＴＭ  ２９９９が挙げられる）および類似の油が挙げられる。適切なエステルとしてはまた、グリコールベースのジアルキレート（例えば、ネオペンチルグリコールジオレエート（ＥＭＥＲＹＴＭ  ２９６５として市販））が挙げられる。適切なキャリア流体はまた、トリメチルプロパンおよび／または脂肪酸のメチルエステル（例えば、オレイン酸のトリメチルプロパンエステル（ＳＹＮＡＴＩＶＥＴＭ  ＥＳ  ２９６４として市販）；ダイマー酸（ｄｉｍｅｒ  ａｃｉｄ）のトリメチルプロパンエステル（例えば、大部分はイソステアリン酸を含む混合物（その一例は、ＳＹＮＡＴＩＶＥＴＭ  ９３２Ｔとして市販されている））；およびダイマー酸のメチルエステル（例えば、大部分はイソステアリン酸を含む混合物（その一例は、ＳＹＮＡＴＩＶＥＴＭ  ９３２Ｍとして市販されている））を含む。
【００７１】
いくつかの実施形態において、上記キャリア流体は、アルコールを、およびいくつかの実施形態において、分枝アルコールを含む。適切なアルコールは、２−（Ｃ１−４アルキル）置換基、すなわち、メチル、エチル、またはプロピルもしくはブチルの任意の異性体を有し得る。適切なアルコールの例としては、２−メチルヘプタノール、２−メチルデカノール、２−エチルペンタノール、２−エチルヘキサノール、２−エチルノナノール、２−プロピルヘプタノール、２−ブチルヘプタノール、２−ブチルオクタノール、イソオクタノール、ドデカノール、シクロヘキサノール、メタノール、エタノール、プロパン−１−オール、２−メチルプロパン−２−オール、２−メチルプロパン−１−オール、ブタン−１−オール、ブタン−２−オール、ペンタノールおよびその異性体、ならびにこれらの混合物が挙げられる。一実施形態において、本発明の溶媒は、２−エチルヘキサノール、２−エチルノナノール、２−メチルヘプタノール、またはこれらの組み合わせである。一実施形態において、上記アルコールは、２−エチルヘキサノールである。
【００７２】
上記のキャリアのうちのいずれか１種以上が使用され得、本発明の記載される実施形態のうちのいずれかから排除され得る。
【００７３】
（腐食防止剤）
本発明の組成物は、必要に応じて、腐食防止剤を含む。存在する場合、上記腐食防止剤は、過度に限定されない。いくつかの実施形態において、上記腐食防止剤は、１種以上の脂肪酸、そのエステル化誘導体、ジノニルナフタレンスルホン酸のアミン塩、およびこれらの組み合わせを含む。適切な腐食防止剤の具体例としては、長鎖脂肪酸（例えば、オレイン酸、およびリノール酸など）が挙げられる。これら酸の上記エステル化および／またはポリオールバージョンも使用され得、グリセロールモノオレエートおよびこのような酸の類似の誘導体が挙げられる。ジノニルナフタレンスルホン酸のアミン塩も使用され得、商品名ＮＡ−ＳＵＬＴＭの下でＫｉｎｇ  Ｉｎｄｕｓｔｒｉｅｓから市販される腐食防止剤が挙げられる。具体例としては、ジノニルナフタレンスルホン酸の塩基性金属塩が挙げられ、ここで上記酸は、アミンで塩形成され、ＮＡ−ＳＵＬＴＭ  ＥＤＳ（これは、エチレンジアミンと塩形成される）が挙げられる。
【００７４】
適切な腐食防止剤はまた、カルボン酸のアミン塩（例えば、オクチルアミンオクタノエート）、ドデセニルコハク酸または無水物または脂肪酸（例えば、オレイン酸）とポリアミン（例えば、ポリアルキレンポリアミン（例えば、トリエチレンテトラミン）との縮合生成物、およびアルケニルコハク酸（ここで上記アルケニル基は、約８〜約２４個の炭素原子を含む）とアルコール（例えば、ポリグリコール）との半エステルを含む。上記腐食防止剤は、単独で、または他の腐食防止剤と組み合わせて使用され得る。
【００７５】
（さらなる添加剤）
本発明の組成物は、１種以上のさらなる添加剤をさらに含み得る。これらさらなる添加剤は、消泡剤、抗乳化剤、洗浄剤、流動点降下剤、粘度調整剤、耐摩耗性添加剤、金属不活性化剤、および酸化防止剤を含み得る。これらさらなる添加剤が存在する場合、それらは、上記組成物全体のうちの０重量％、０．０００１重量％、０．００１重量％、０．０５重量％、０．１重量％、または０．５から１０重量％、７．５重量％、５重量％、または１重量％であり得る。ここで上記種々の範囲は、各さらなる添加剤に個々に、または全体として上記さらなる添加剤のすべてに適用され得る。いくつかの実施形態において、上記さらなる添加剤は、上記キャリア流体成分とともに存在し、上記キャリア成分自体の上記に提供される範囲のうちのいずれかを表す。
【００７６】
いくつかの実施形態において、本発明の組成物は、無灰耐摩耗性添加剤を含む。適切な耐摩耗性添加剤は、ヒドロカルビルリン酸もしくは酸エステル、ヒドロカルビルチオリン酸もしくは酸エステル、ヒドロカルビルジチオリン酸もしくは酸エステル、これら酸および酸エステルのうちの１種以上のアミン塩、またはこれらの組み合わせを含む。
【００７７】
適切な洗浄剤としては、中性洗浄剤および過塩基性洗浄剤が挙げられる。適切な洗浄剤基質としては、フェネート、硫黄含有フェネート、スルホネート、サリキサレート、サリチレート、カルボン酸、リンの酸（ｐｈｏｓｐｈｏｒｕｓ  ａｃｉｄ）、モノチオリン酸および／もしくはジチオリン酸、アルキルフェノール、硫黄結合アルキルフェノール化合物、またはサリゲニンが挙げられる。上記洗浄剤は、天然であってもよいし、合成であってもよい。一実施形態において、上記洗浄剤は、合成である。一実施形態において、上記洗浄剤は、スルホネート洗浄剤を含む。上記スルホネート洗浄剤はまた、腐食防止特性を有し得る。適切な洗浄剤の例としては、ジノニルナフタレンスルホン酸カルシウム、ジデシルナフタレンスルホン酸カルシウム、ジドデシルナフタレンスルホネート、ジペンタデシルナフタレンスルホン酸カルシウム、またはこれらの混合物のうちの少なくとも１つが挙げられる。一実施形態において、上記洗浄剤は、中性またはわずかに過塩基性のジノニルナフタレンスルホン酸カルシウム、またはこれらの混合物を含む。
【００７８】
適切な酸化防止剤としては、アルキル化ジフェニルアミン、ヒンダードフェノール、ジチオカルバミン酸モリブデン、およびこれらの混合物が挙げられる。適切な酸化防止剤としてはまた、アルキル化α−フェニルナフチルアミンが挙げられる。酸化防止剤化合物は、単独で、または他の酸化防止剤と組み合わせて使用され得る。適切なヒンダードフェノール酸化防止剤の例としては、２，６−ジ−ｔｅｒｔ−ブチルフェノール、４−メチル−２，６−ジ−ｔｅｒｔ−ブチルフェノール、４−エチル−２，６−ジ−ｔｅｒｔ−ブチルフェノール、４−プロピル−２，６−ジ−ｔｅｒｔ−ブチルフェノール、４−ブチル−２，６−ジ−ｔｅｒｔ−ブチルフェノールまたは２，６−ジ−ｔｅｒｔ−ブチルフェノールが挙げられる。酸化防止剤として使用され得るジチオカルバミン酸モリブデンの適切な例としては、Ｒ．Ｔ．Ｖａｎｄｅｒｂｉｌｔ  Ｃｏ．，  Ｌｔｄ．製のＶａｎｌｕｂｅ  ８２２ＴＭおよびＭｏｌｙｖａｎＴＭ  Ａ、ならびにＡｓａｈｉ  Ｄｅｎｋａ  Ｋｏｇｙｏ  Ｋ．Ｋ製のＡｄｅｋａ  Ｓａｋｕｒａ−ＬｕｂｅＴＭ  Ｓ−１００、Ｓ−１６５およびＳ−６００のような商品名の下で販売される市販の材料、ならびにこれらの混合物が挙げられる。適切なアルキル化ジフェニルアミンとしては、ビス−ノニル化ジフェニルアミン、ノニルジフェニルアミン、オクチルジフェニルアミン、ビス−オクチル化ジフェニルアミン、ジ−ｔ−ブチル化ジフェニルアミン、ビス−デシル化ジフェニルアミン、デシルジフェニルアミン、ビス−スチレン化（ｂｉｓ−ｓｔｙｒｅｎａｔｅｄ）ジフェニルアミン、スチレン化（ｓｔｙｒｅｎａｔｅｄ）ジフェニルアミン、およびこれらの混合物が挙げられる。
【００７９】
本発明における使用に適した粘度調整剤（しばしば、粘度指数向上剤といわれる）としては、ポリマー材料（スチレン−ブタジエンゴム、オレフィンコポリマー、水素化スチレン−イソプレンポリマー、水素化ラジカルイソプレンポリマー、ポリ（メタ）アクリル酸エステル、ポリアルキルスチレン、アルケニルアリール会合ジエンコポリマー、マレイン酸無水物−スチレンコポリマーのエステルまたはこれらの混合物が挙げられる）が挙げられる。いくつかの実施形態において、上記粘度調整剤は、ポリ（メタ）アクリル酸エステル、オレフィンコポリマーまたはこれらの混合物である。
【００８０】
適切な消泡剤としては、ポリアクリレート（例えば、エチルアクリレートおよび２−エチルヘキシルアクリレートのコポリマー）、および必要に応じて、ビニルアセテートが挙げられ；抗乳化剤としては、ポリグリコール誘導体、トリアルキルホスフェート、ポリエチレングリコール、ポリエチレンオキシド、ポリプロピレンオキシド、ポリエーテルおよび（エチレンオキシド−プロピレンオキシド）ポリマー、ポリシロキサンならびにフルオロシロキサンポリマーおよびコポリマーが挙げられる。
【００８１】
適切な流動点降下剤としては、マレイン酸無水物−スチレンのエステル、ポリ（メタ）アクリレート、ポリアクリレートまたはポリアクリルアミドが挙げられ；本発明の潤滑組成物においても使用され得る。
【００８２】
適切な抗乳化剤としては、プロピレンオキシドの誘導体、エチレンオキシドの誘導体、エチレンオキシドまたは置換されたエチレンオキシドと逐次的に反応した、ポリオキシアルキレンアルコール、アルキルアミン、アミノアルコール、ジアミンまたはポリアミンおよびこれらの混合物が挙げられる。抗乳化剤は、単独で、または組み合わせて使用され得る。抗乳化剤の例としては、トリアルキルホスフェート、ポリエチレングリコール、ポリエチレンオキシド、ポリプロピレンオキシド、（エチレンオキシド−プロピレンオキシド）コポリマーおよびこれらの混合物が挙げられるが、これらに限定されない。一実施形態において、上記抗乳化剤は、エチレンオキシド−プロピレンオキシドコポリマーである。
【００８３】
適切な金属不活性化剤としては、ベンゾトリアゾールの誘導体、１，２，４−トリアゾ−ル、ベンゾイミダゾール、２−アルキルジチオベンゾイミダゾール、２−アルキルジチオベンゾチアゾール、２−（Ｎ，Ｎ−ジアルキルジチオカルバモイル）ベンゾチアゾール、２，５−ビス（アルキル−ジチオ）−１，３，４−チアジアゾ−ル、２，５−ビス（Ｎ，Ｎ−ジアルキルジチオカルバモイル）−１，３，４−チアジアゾ−ル、２−アルキルジチオ−５−メルカプトチアジアゾ−ルまたはこれらの混合物が挙げられる。上記金属不活性化剤は、単独で、または他の金属不活性化剤と組み合わせて使用され得る。
【００８４】
適切なベンゾトリアゾールの例としては、少なくとも１個の環の位置（例えば、１位または２位または４位または５位または６位または７位またはこれらの混合）上に置換基を有するヒドロカルビル基を伴うものが挙げられる。上記ヒドロカルビル基は、１〜約３０個の炭素原子、一実施形態において、１〜約１５個の炭素原子、別の実施形態において、１〜約７個の炭素原子を含む。一実施形態において、上記ベンゾトリアゾールは、５−メチルベンゾトリアゾール（トリルトリアゾ−ル）またはこれらの混合物である。一実施形態において、ヒドロカルビルベンゾトリアゾールは、４位または５位または６位または７位において置換されていてもよく、アルデヒドおよび二級アミンとさらに反応させられて、マンニッヒ生成物（例えば、Ｎ，Ｎ−ビス（ヘプチル）−ａｒ−メチル−１Ｈ−ベンゾトリアゾール−１−メタンアミン；Ｎ，Ｎ−ビス（ノニル）−ａｒ−メチル−１Ｈ−ベンゾトリアゾール−１−メタンアミン）を形成してもよい。
【００８５】
上記金属不活性化剤が、２，５−ビス（アルキル−ジチオ）−１，３，４−チアジア−ゾールまたは２−モノアルキル−ジチオ−メルカプト−１，３，４−チアジアゾールである場合、上記アルキル基は、１〜約３０個の炭素原子、一実施形態において、約２〜約２５個の炭素原子、別の実施形態において、約４〜約２０個、およびなお別の実施形態において、約６〜約１６個の炭素原子を含む。適切な２，５−ビス（アルキル−ジチオ）−１，３，４−チアジアゾールの例としては、２，５−ビス（アルキル−ジチオ）−１，３，４−チアジアゾール、２，５−ビス（ｔｅｒｔ−ノニルジチオ）−１，３，４−チアジアゾールまたはこれらの混合物が挙げられる。適切な２−モノアルキル−ジチオ−メルカプト−１，３，４−チアジアゾールの例としては、２−モノノニル−ジチオ−メルカプト−１，３，４−チアジアゾール、２−モノドデシル−ジチオ−メルカプト−１，３，４−チアジアゾールまたはこれらの混合物が挙げられる。
【００８６】
（産業上の利用可能性）
本発明の組成物は、（ａ）窒素含有分散剤および／または四級アンモニウム塩分散剤を含む、分散剤成分；（ｂ）キャリア流体成分；ならびに（ｃ）必要に応じた腐食防止剤を含む。いくつかの実施形態において、（ａ）は、０．５〜５５重量％存在し；成分（ｂ）は、４５〜９９．５重量％存在する。他の実施形態において、（ａ）は、０．５〜５５重量％存在し；成分（ｂ）は、４４．０〜９９．４５重量％存在し；成分（ｃ）は、０．０５〜１．０重量％存在する。
【００８７】
さらに他の実施形態において：（ａ）は、０．５重量％、０．７５重量％、または１重量％から最大８重量％、９重量％または１０重量％まで存在してもよく、（ｂ）は、４４重量％、４５重量％、５９重量％、６０重量％、７４重量％、７９重量％または８０重量％から最大９９．５重量％、９９重量％、９２重量％、９０重量％、またはさらに８９重量％重量％まで存在してもよいし、４４重量％、４５重量％、５９重量％または６０重量％から最大９０重量％、８９重量％、８０重量％、７９重量％、またはさらに７４重量％まで存在してもよく；（ｃ）は、０重量％、０．０１重量％または０．０５重量％から最大１重量％、０．５重量％またはさらに０．４重量％まで存在してもよい。これら範囲のすべては、活性剤、油／溶媒なしのベースに基づく。
【００８８】
本発明の組成物は、潤滑システム（例えば、油圧設備の潤滑システム）を清浄にするための洗浄流体として使用され得る。本発明の組成物は、上記設備の潤滑システムに既に存在する潤滑剤へのトップ処理として使用され得る。いくつかの実施形態において、上記潤滑剤は、上記システムから排液され、本発明の組成物が、単独で添加される。いくつかの実施形態において、本発明の組成物は、潤滑組成物としても使用され得る。しかし、他の実施形態において、本発明の組成物は、完全に調合された潤滑組成物自体ではないが、むしろ上記システムを清浄にするが、一般的および／または長期間の作動の間に上記システムを潤滑しないように設計された唯一の洗浄流体である。
【００８９】
いくつかの実施形態において、本発明の組成物は、油圧システム洗浄組成物および／または潤滑剤である。いくつかの実施形態において、本発明の組成物は、プラスチック射出成形機械、液圧プレス、スチームまたはガス出力タービンなどにおける油圧システムで使用される。これら列挙された実施形態のうちのいずれか１つ以上は、本発明から排除されてもよい。
【００９０】
本発明はまた、上記の設備のタイプのうちのいずれかの１つ以上の潤滑システムを洗浄する方法を提供する。本発明の方法は、（ｉ）十分量の本発明の組成物を潤滑システムに供給し、その結果、上記システムは、安全に作動され得る工程；および（ｉｉ）上記システムを作動させて、上記組成物を上記システム全体に循環させる工程；および必要に応じて、（ｉｉｉ）上記潤滑システムを排液し、上記組成物および上記組成物が除去した上記堆積物の両方を除去し、上記潤滑システムからの堆積物の除去を生じる工程を包含する。「十分量」および「安全に作動させられる」によって、上記流体が上記潤滑システム全体を循環し、上記設備の最小限に必要とされる潤滑を提供して、洗浄サイクルの間の損傷を妨げるために十分な流体が上記システムに存在することが意味される。いくつかの実施形態において、上記十分量は、上記システムに通常潤滑剤が充填され得るレベルの同じ範囲および／またはレベル内まで上記潤滑システムに本発明の組成物を充填することを意味する。いくつかの実施形態において、「安全に作動させられる」は、上記設備が、上記洗浄サイクルの過程にわたって潤滑がないことに起因して、任意の重大な損傷を被ることなく作動し得ることを意味する。いくつかの実施形態において、このサイクル時間は、４００時間、２００時間、１００時間、７２時間、４８時間、２４時間、１２時間、６時間〜４時間の範囲に及び得る。
【００９１】
いくつかの実施形態において、潤滑システムが洗浄される上記設備の部品は、ゼロ負荷条件、低負荷条件、通常未満の負荷条件、またはいくつかの他の類似の低下した条件、出力、および／またはストレス条件下での洗浄サイクルの間に作動させられる。これは、いくつかの実施形態において、本発明の組成物が完全に調合された潤滑剤であることが常には意図されないが、むしろ唯一の洗浄流体であることが意図されるので、重要である。上記潤滑システム中に存在する完全に調合された潤滑剤なしでの最大負荷条件または最大に近い負荷条件での設備の作動は、上記設備の部品に損傷を生じ得る。このような実施形態において、上記組成物は、元々供給された潤滑剤と同じ機能を発揮するために最適化されなくてもよい。上記システムの設備に過度なストレスを引き起こさないために、このような組成物は、可能な限り低圧でまたは低圧付近で上記システムを通じて循環させられ得る。
【００９２】
いくつかの実施形態において、潤滑システムが洗浄されている上記設備は、その潤滑システム中にフィルタおよび／または堆積物収集要素を含み得る。このような実施形態において、本発明の方法はまた、本発明の組成物の循環の前、その間および／またはその後にこのような要素が洗浄され、空にされ、そして／または置き換えられる工程を包含し得る。これは、上記システムからより多くの堆積物の除去、洗浄前および洗浄後の上記システムの条件の評価を可能にし、そして／または上記洗浄サイクルが完了した後に可能な限り上記システムが清浄であることを確実にする。
【００９３】
本発明の洗浄方法は、いくつかの異なる方法で完了され得る。いくつかの実施形態において、上記設備の部品の潤滑システムは、第１に潤滑剤が完全に排液され、十分量の本発明の組成物で置き換えられる。次いで、上記システムは、上記設備および／またはシステムを作動させ、上記組成物が上記設備の潤滑システムを通じて循環することを可能にすることによって、洗浄される。次いで、上記組成物は排液され得、上記堆積物が除去され得る。上記洗浄サイクルの最後に、新たな潤滑剤が次に、上記洗浄されたシステムに戻して添加され得る。
【００９４】
他の実施形態において、上記潤滑システムは、部分的に潤滑剤が排液され、上記潤滑剤の排液された部分は、上記システムの安全な作動および上記組成物の循環を可能にするように、十分量の、請求項１に記載の組成物で置き換えられる。次いで、上記洗浄サイクルは、上記のように完了される。なお他の実施形態において、上記潤滑剤は、上記潤滑システムから排液されるのではなく、むしろ上記設備の潤滑システムの中に残される。次いで、本発明の組成物は、トップ処理として、上記システム中の上記潤滑剤に添加される。次いで、上記洗浄サイクルは、上記のように完了される。このような実施形態において、より濃縮した組成物（少量のキャリア流体を含む）が使用され得、従って、活性な化学物質の同じ相対量が、上記の実施形態におけるように、上記システムに添加される。
【００９５】
いくつかの実施形態において、本発明の組成物は、特に、潤滑剤トップ処理として使用される場合、長期間にわたって上記設備中に残されて、上記設備の規則的な作動の間に洗浄性能を提供し得る。
【００９６】
いくつかの実施形態において、本発明の方法は、（ｉ）上記の実施形態のうちのいずれかに従って、十分量の上記の組成物を潤滑システムに供給する工程、および（ｉｉ）上記システムを作動して、上記組成物を上記システム全体に循環させる工程を包含する。上記方法は、上記潤滑システムからの堆積物の除去を生じる。本発明の方法は、（ｉｉｉ）上記システムを作動させた後に、上記組成物を循環させ、上記堆積物を除去し、上記潤滑システムから上記組成物およびまだ存在し得る潤滑剤および上記組成物中に存在する上記システムから除去された任意の堆積物を排液する工程をさらに包含し得る。次いで、上記システムに、新たな潤滑剤が再充填され得る。
【００９７】
本発明の方法はまた、（ｉｖ）必要に応じて、上記システムを洗い流すために、上記添加された新たな潤滑剤を循環させる工程（上記システムは、再びゼロ負荷および／または低負荷条件下になり得る）をさらに包含し得る。次いで、上記洗い流し液は、上記潤滑システムから排液され得る。この洗い流しは、選択肢的工程であるが、これはまた、上記潤滑システムが清浄であることを確実にするために必要とされる場合に反復され得る。次いで、新たな潤滑剤は、上記システムに添加され、次いで、上記設備の部品は、清浄に作動させられ得る。
【００９８】
上記の材料のうちのいくつかは、最終調合物中で相互作用し得、その結果、上記最終調合物の成分が最初に添加されたものとは異なり得ることは、公知である。それによって形成される生成物は、その意図された使用において本発明の組成物を使用する際に形成される生成物を含め、容易な説明が可能ではないと思われる。それにも関わらず、すべてのこのような改変および反応生成物は、本発明の範囲内に含まれる；本発明は、上記の成分を混合することによって調製される上記組成物を包含する。
【実施例】
【００９９】
本発明は、特に有利な実施形態について記載される、以下の実施例によってさらに例示される。上記実施例は、本発明を例示するために提供されるものの、上記実施例は、本発明を限定することは意図されない。
【０１００】
（実施例セット１）
以下の実施例は、以下の表にまとめられ、周囲温度から最大約８０℃（約８０℃を含む）までの範囲の条件下で列挙される成分をブレンドすることによって調製される。
【０１０１】
【表１】
2013510906.tif 000009
１−すべての調合の値は、油／溶媒を含まないベースに基づく重量％である。
２−実施例１−Ｃにおいて使用されるスクシンイミド分散剤は、ポリイソブチレンコハク酸無水物およびポリアルキレンポリアミンに由来する。
３−四級アンモニウム塩分散剤（実施例１−Ｃを除いてすべての実施例で使用される）は、カルボン酸と組み合わせて使用されるポリイソブチレンコハク酸無水物、ポリアルキレンポリアミンおよびヒドロカルビルエポキシドに由来する。
【０１０２】
実施例セット１中の実施例は、本発明の方法において使用され得る代表的な活性剤レベルでの調合物を含む。ここで上記潤滑剤のうちのすべては、排液され、上記洗浄流体は、空の潤滑システムに添加される（実施例１−Ａおよび実施例１−Ｂを参照のこと）。実施例セット１はまた、本発明の方法において使用され得るより濃縮された調合物を含む。ここで上記潤滑剤のうちの一部のみが排液されるかまたは上記潤滑組成物は全く排液されず、上記洗浄流体は、上記潤滑システム中に残っている上記潤滑剤に添加される（実施例１−Ｃ、実施例１−Ｄ、実施例１−Ｅ、実施例１−Ｆおよび実施例１−Ｇを参照のこと）。
【０１０３】
（実施例２）
上記表の実施例１−Ａを、事前作動からの重い堆積物を有したバルブ付着試験（ｖａｌｖｅ  ｓｔｉｃｋ  ｔｅｓｔ）スタンドにおいて試験する。上記試験スタンドは、上記流体を循環させるための、Ｅａｔｏｎ  ２０ＶＱベーンポンプおよびＶｉｃｋｅｒｓ  ｖａｌｖｅ  ＫＦＴＧ４を使用する。上記試験スタンドを、４９８時間にわたって運転し、上記潤滑システムレザバのうちのいくつかの洗浄を観察した。次いで、さらなる四級アンモニウム塩分散剤を添加し、上記組成物の上記四級アンモニウム塩分散剤含有量を、溶媒なしのベースに基づいて最大７．５重量％にした。次いで、上記試験スタンドを、さらに１１５時間にわたって運転した。上記洗浄サイクルの間の試験条件を、以下の表にまとめる。上記システムの洗浄における顕著な改善が、試験スタンド応答曲線、および具体的には、上記実験組成物の添加前および後のバルブスプールの応答曲線をモニターすることによって観察された。その結果は、上記実験組成物の添加が、上記システムの事前作動において使用される標準的潤滑剤によって除去されなかった堆積物の顕著な量の除去を生じたことを示す。
【０１０４】
【表２】
2013510906.tif 000010
（実施例３）
上記表の実施例１−Ｂを、この実施例についての事前作動期間が３０６時間であったことを除いて、実施例２に概説される同じ手順を使用して、事前作動からの重い堆積物を有したバルブ付着スタンドで試験した。いったん上記潤滑剤を実施例１−Ｂで置き換えたら、上記試験スタンドを、上記洗浄サイクル運転時間がここでわずか２５時間であったことを除いて、上記表２に概説される条件下で運転した。上記洗浄サイクルの最後に、上記堆積物の実質的にすべてを、上記組成物を上記システムから排液するときに除去した。
【０１０５】
上記で言及される文書の各々は、本明細書に参考として援用される。上記実施例、またはほかの明示的に示されている箇所を除いて、材料の量、反応条件、分子量、および炭素原子の数などを特定する、この説明におけるすべての数量は、語句「約」によって修飾されていると理解されるべきである。別段示されなければ、すべてのパーセント数値は、重量％であり、すべてのｐｐｍ値は、重量ベースである。別段示されなければ、本明細書で言及される各化学物質または組成物は、工業用グレードの物質であると解釈されるべきであり、上記物質は、工業用グレードで通常存在すると理解される異性体、副生成物、誘導体および他のこのような物質を含み得る。しかし、各化学物質要素の量は、いかなる溶媒も希釈油も排除して示され、これらは、別段示されなければ、上記工業用材料に慣例上存在し得る。本明細書に示される上限および下限の量、範囲、ならびに比率の限度は、独立して組み合わされ得ることが理解されるべきである。同様に、本発明の各要素の範囲および量は、他の要素のいずれかについての範囲または量と一緒に使用され得る。本明細書で使用される場合、表現「〜から本質的になる」は、考慮中の組成物の基本的および新規な特徴に本質的に影響を及ぼさない物質の包含を許容する。
【国際調査報告】
2013510906.tif 000011
2013510906.tif 000012
2013510906.tif 000013